(57)【要約】      （修正有）【課題】エレベータシステムを簡素化及び低コスト化する。【解決手段】携帯端末（５００）の制御部は、（ｉ）カメラに、エレベータ乗場ＥＰ、ＥＬ、ＥＨに配置され、かつ少なくともエレベータ乗場毎に異なる模様を有する二次元コードＢＰ、ＢＬ、ＢＨを撮像させて撮像データを生成し、（ｉｉ）生成した撮像データに基づいて呼び登録のためのエレベータ管理情報を取得し、（ｉｉｉ）取得したエレベータ管理情報に基づいて、エレベータの割当を依頼する割当依頼信号を生成し、（ｉｖ）生成した割当依頼信号を無線通信部を用いてエレベータの運行制御装置に送信し、（ｖ）運行制御装置から割当依頼信号に対する応答として割当号機を示す割当号機信号を受信すると、表示部に、割当号機を案内する情報を表示させる。【選択図】図１
2020128272.tif 000002
【特許請求の範囲】
【請求項１】
エレベータの運行制御を行う運行制御装置と無線通信を行う無線通信部と、
画像を表示し及び／または音声を出力する報知部と、
撮像部と、
制御部と、を備え、
前記制御部は、
（ｉ）前記撮像部に、エレベータ乗場に配置されかつ少なくともエレベータ乗場毎に異なる模様を有する模様画を撮像させて撮像データを生成し、
（ii）生成した撮像データに基づいて呼び登録のためのエレベータ管理情報を取得し、
（iii）取得したエレベータ管理情報に基づいて、エレベータの割当を依頼する割当依頼信号を生成し、
（iv）生成した割当依頼信号を前記無線通信部を用いて前記運行制御装置に送信し、
（v）前記運行制御装置から割当依頼信号に対する応答として割当号機を示す割当号機信号を受信すると、前記報知部に、割当号機を案内する情報を報知させる、
携帯端末。
【請求項２】
前記制御部は、前記（ii）において、
模様画の撮像データからエレベータ管理情報を取得する、
請求項１に記載の携帯端末。
【請求項３】
模様画を識別するための模様画識別情報に紐付けてエレベータ管理情報を格納する記憶部を備え、
前記制御部は、前記（ii）において、
模様画の撮像データから模様画識別情報を取得し、
取得した模様画識別情報に紐付けられているエレベータ管理情報を、前記記憶部から取得する、
請求項１に記載の携帯端末。
【請求項４】
模様画を識別するための模様画識別情報に紐付けてエレベータ管理情報を格納する記憶部が前記運行制御装置に備えられており、
前記制御部は、前記（ii）において、
模様画の撮像データから模様画識別情報を取得し、
取得した模様画識別情報に紐付けられているエレベータ管理情報を、前記無線通信部を用いて前記運行制御装置と無線通信を行うことで、前記記憶部から取得する、
請求項１に記載の携帯端末。
【請求項５】
前記模様画は、二次元コードである、
請求項１から４のいずれか１項に記載の携帯端末。
【請求項６】
エレベータの運行制御を行う運行制御装置と無線通信を行う無線通信部と、
画像を表示し及び／または音声を出力する報知部と、
撮像部と、
制御部と、を備え、
前記制御部は、
（ｉ）前記撮像部に、エレベータ乗場を撮像させて撮像データを生成させ、
（ii）生成された撮像データに基づいて呼び登録のためのエレベータ管理情報を取得し、
（iii）取得したエレベータ管理情報に基づいて、エレベータの割当を依頼する割当依頼信号を生成し、
（iv）生成した割当依頼信号を前記無線通信部を用いて前記運行制御装置に送信し、
（v）前記運行制御装置から割当依頼信号に対する応答として割当号機を示す割当号機信号を受信すると、前記報知部に、割当号機を案内する情報を報知させる、
携帯端末。
【請求項７】
エレベータ乗場の比較用画像データに紐付けてエレベータ管理情報を格納する記憶部を備え、
前記制御部は、前記（ii）において、前記（ｉ）で生成された撮像データと前記記憶部に格納されている比較用画像データとを比較することにより最も類似する比較用画像データを特定し、特定した比較用画像データに紐付けられているエレベータ管理情報を前記記憶部から取得する、
請求項６に記載の携帯端末。
【請求項８】
現在位置を示す現在位置情報を取得する現在位置情報取得部と、
各エレベータ乗場の位置を示す乗場位置情報に紐付けて比較用画像データの識別情報を格納する第２記憶部と、をさらに備え、
前記制御部は、
前記（ｉ）において、前記撮像部にエレベータ乗場を撮像させたときに、前記現在位置情報取得部により現在位置情報を取得し、
前記（ii）において、
前記（ｉ）で取得された現在位置情報と前記第２記憶部に格納されている乗場位置情報とを比較して、前記現在位置情報が示す位置との位置差が所定範囲内にある乗場位置情報に紐付けられている比較用画像データを抽出し、
抽出された比較用画像データと前記（ｉ）で生成された撮像データとを比較することにより最も類似する比較用画像データを特定し、特定した比較用画像データに紐付けられているエレベータ管理情報を前記記憶部から取得する、
請求項７に記載の携帯端末。
【請求項９】
前記運行制御装置が、エレベータ乗場の比較用画像データに紐付けてエレベータ管理情報を格納する記憶部と、エレベータ乗場の撮像データと前記記憶部に格納されている比較用画像データとを比較することにより最も類似する比較用画像データを特定し、特定した比較用画像データに紐付けられているエレベータ管理情報を前記記憶部から取得する制御部と、を備え、
当該携帯端末の前記制御部は、前記（ii）において、前記（ｉ）で生成された撮像データを前記運行制御装置に送信し、前記撮像データに基づいて前記運行制御装置で取得されたエレベータ管理情報を、前記無線通信部を用いて前記運行制御装置から無線通信により取得する、
請求項６に記載の携帯端末。
【請求項１０】
現在位置を示す現在位置情報を取得する現在位置情報取得部をさらに備え、
前記運行制御装置が、各エレベータ乗場の位置を示す乗場位置情報に紐付けて比較用画像データの識別情報を格納する第２記憶部をさらに備え、
前記制御部は、
前記（ｉ）において、前記撮像部にエレベータ乗場を撮像させたときに、前記現在位置情報取得部により現在位置情報を取得し、
前記（ii）において、
前記（ｉ）で生成された撮像データと前記（ｉ）で取得された現在位置情報とを前記運行制御装置に送信し、前記撮像データ及び現在位置情報に基づいて前記運行制御装置で取得されたエレベータ管理情報を、前記無線通信部を用いて前記運行制御装置から無線通信により取得し、
前記運行制御装置の前記制御部が、
当該携帯端末から受信した現在位置情報と前記第２記憶部に格納されている乗場位置情報とを比較して、前記現在位置情報が示す位置との位置差が所定範囲内にある乗場位置情報に紐付けられている比較用画像データを抽出し、
抽出された比較用画像データと当該携帯端末から受信した撮像データとを比較することにより最も類似する比較用画像データを特定し、特定した比較用画像データに紐付けられているエレベータ管理情報を前記記憶部から取得し、
取得したエレベータ管理情報を当該携帯端末に送信する、
請求項９に記載の携帯端末。
【請求項１１】
エレベータ管理情報は、現在階に関する情報を含み、
前記報知部は、画像を表示する表示部であり、
前記制御部は、前記（iii）において、
取得したエレベータ管理情報に基づいて、前記表示部に、利用者による行先階または行先方向の指定を受け付ける呼び登録画面を表示させ、
呼び登録画面で指定された行先階または行先方向を示す情報とエレベータ管理情報に含まれる現在階を示す情報とを格納した割当依頼信号を生成する、
請求項１から１０のいずれか１項に記載の携帯端末。
【請求項１２】
前記制御部は、前記（v）において、
割当依頼信号に対する応答として、前記運行制御装置から割当号機信号を受信すると、前記表示部に、割当号機を案内する割当号機案内画面を表示させる、
請求項１１に記載の携帯端末。
【請求項１３】
エレベータ管理情報は、ビルに複数のエレベータバンクが設けられている場合におけるエレベータバンクを識別するためのエレベータバンク識別情報を含む、
請求項１から１２のいずれか１項に記載の携帯端末。
【請求項１４】
コンピュータを、請求項１から１３のいずれか１項に記載の携帯端末の制御部として機能させるプログラム。
【請求項１５】
携帯端末と無線通信を行ってエレベータの運行制御を行う運行制御装置を有するエレベータシステムであって、
エレベータ乗場に、エレベータ乗場毎に異なる模様を有する模様画が配置されており、
前記携帯端末は、前記模様画を撮像して生成した撮像データに基づいて取得した呼び登録用のエレベータ管理情報に基づいてエレベータの割当を依頼する割当依頼信号を生成して前記運行制御装置に送信するように構成されており、
前記運行制御装置は、
前記携帯端末から前記割当依頼信号を受信すると、前記割当依頼信号に係る呼びをエレベータに割り当て、
割り当てたエレベータを示す割当号機信号を前記携帯端末に送信する、
エレベータシステム。
【請求項１６】
携帯端末と無線通信を行ってエレベータの運行制御を行う運行制御装置を有するエレベータシステムであって、
前記携帯端末は、エレベータ乗場を撮像して生成した撮像データに基づいて取得した呼び登録用のエレベータ管理情報に基づいてエレベータの割当を依頼する割当依頼信号を生成して前記運行制御装置に送信するように構成されており、
前記運行制御装置は、
前記携帯端末から前記割当依頼信号を受信すると、前記割当依頼信号に係る呼びをエレベータに割り当て、
割り当てたエレベータを示す割当号機信号を前記携帯端末に送信する、
エレベータシステム。
【請求項１７】
複数のエレベータバンクを含み、
前記エレベータ管理情報は、エレベータバンクを識別するためのエレベータバンク識別情報を含み、
前記運行制御装置は、前記エレベータバンク識別情報に応じて、前記割当依頼信号に係る呼びを割り当てるエレベータを決定する、
請求項１５または１６に記載のエレベータシステム。
【請求項１８】
前記運行制御装置は、前記携帯端末の端末識別情報に紐付けて前記携帯端末の所持者の利用が許容されるエレベータバンクを示す利用可能バンク情報を格納する記憶部を備え、
前記運行制御装置は、前記携帯端末から端末識別情報を受信すると、端末識別情報に紐付けられた利用可能バンク情報を読み出して、前記携帯端末の所持者が、前記エレベータバンク識別情報が示すエレベータバンクの利用が許容されるか否かを判断する、
請求項１７に記載のエレベータシステム。
【発明の詳細な説明】
【技術分野】
【０００１】
本発明は、携帯端末、プログラム、及びエレベータシステムに関する。
【背景技術】
【０００２】
特許文献１は、各階床に配置された乗場行先階登録装置を用いてエレベータ利用者により乗車前に登録された行先階呼びに基づいてエレベータを運行するエレベータシステムを開示している。
【先行技術文献】
【特許文献】
【０００３】
【特許文献１】特開２０１７−５２６２１号公報
【発明の概要】
【発明が解決しようとする課題】
【０００４】
本発明は、エレベータシステムを簡素化及び低コスト化することを目的とする。
【課題を解決するための手段】
【０００５】
本発明の第１の態様の携帯端末は、
エレベータの運行制御を行う運行制御装置と無線通信を行う無線通信部と、
画像を表示し及び／または音声を出力する報知部と、
撮像部と、
制御部と、を備え、
制御部は、
（ｉ）撮像部に、エレベータ乗場に配置されかつ少なくともエレベータ乗場毎に異なる模様を有する模様画を撮像させて撮像データを生成し、
（ii）生成した撮像データに基づいて呼び登録のためのエレベータ管理情報を取得し、
（iii）取得したエレベータ管理情報に基づいて、エレベータの割当を依頼する割当依頼信号を生成し、
（iv）生成した割当依頼信号を無線通信部を用いて運行制御装置に送信し、
（v）運行制御装置から割当依頼信号に対する応答として割当号機を示す割当号機信号を受信すると、報知部に、割当号機を案内する情報を報知させる。
【０００６】
本発明のプログラムは、コンピュータを、本発明の携帯端末の制御部として機能させる。
【０００７】
本発明の第１の態様のエレベータシステムは、
携帯端末と無線通信を行ってエレベータの運行制御を行う運行制御装置を有するエレベータシステムであって、
エレベータ乗場に、エレベータ乗場毎に異なる模様を有する模様画が配置されており、
携帯端末は、模様画を撮像して生成した撮像データに基づいて取得した呼び登録用のエレベータ管理情報に基づいてエレベータの割当を依頼する割当依頼信号を生成して運行制御装置に送信するように構成されており、
運行制御装置は、
携帯端末から割当依頼信号を受信すると、割当依頼信号に係る呼びをエレベータに割り当て、
割り当てたエレベータを示す割当号機信号を携帯端末に送信する。
【０００８】
本発明の第２の態様の携帯端末は、
エレベータの運行制御を行う運行制御装置と無線通信を行う無線通信部と、
画像を表示し及び／または音声を出力する報知部と、
撮像部と、
制御部と、を備え、
制御部は、
（ｉ）撮像部に、エレベータ乗場を撮像させて撮像データを生成させ、
（ii）生成された撮像データに基づいて呼び登録のためのエレベータ管理情報を取得し、
（iii）取得したエレベータ管理情報に基づいて、エレベータの割当を依頼する割当依頼信号を生成し、
（iv）生成した割当依頼信号を無線通信部を用いて運行制御装置に送信し、
（v）運行制御装置から割当依頼信号に対する応答として割当号機を示す割当号機信号を受信すると、報知部に、割当号機を案内する情報を報知させる。
【０００９】
本発明の第２の態様のエレベータシステムは、
エレベータの運行制御を行う運行制御装置と無線通信を行う無線通信部と、
画像を表示し及び／または音声を出力する報知部と、
撮像部と、
制御部と、を備え、
制御部は、
（ｉ）撮像部に、エレベータ乗場を撮像させて撮像データを生成させ、
（ii）生成された撮像データに基づいて呼び登録のためのエレベータ管理情報を取得し、
（iii）取得したエレベータ管理情報に基づいて、エレベータの割当を依頼する割当依頼信号を生成し、
（iv）生成した割当依頼信号を無線通信部を用いて運行制御装置に送信し、
（v）運行制御装置から割当依頼信号に対する応答として割当号機を示す割当号機信号を受信すると、報知部に、割当号機を案内する情報を報知させる。
【発明の効果】
【００１０】
本発明の第１の態様では、エレベータ乗場に呼び登録用の模様画を配置したことで、エレベータ利用者の携帯端末をエレベータを呼ぶための呼び登録装置として利用することができるようになる。そのため、ビル設備としてエレベータ乗場に固定的に配置する呼び登録装置を削減しまたは無くすことができる。したがって、エレベータシステムを簡素化及び低コスト化できる。
【００１１】
また、エレベータ乗場に配置された模様画を携帯端末で読み取らなければ、割当依頼信号を送信できないため、エレベータ乗場以外の場所では、携帯端末を利用した呼び登録を行うことができない。そのため、いたずらなどによる無駄呼びの発生を抑制できる。
【００１２】
本発明の第２の態様では、エレベータ利用者が携帯端末でエレベータ乗場を撮像するだけで、エレベータ利用者の携帯端末をエレベータを呼ぶための呼び登録装置として利用することができるようになる。そのため、ビル設備としてエレベータ乗場に固定的に配置する呼び登録装置を削減しまたは無くすことができる。したがって、エレベータシステムを簡素化及び低コスト化できる。
【００１３】
また、エレベータ乗場を携帯端末で撮像しなければ、割当依頼信号を送信できないため、エレベータ乗場以外の場所では、携帯端末を利用した呼び登録を行うことができない。そのため、いたずらなどによる無駄呼びの発生を抑制できる。
【図面の簡単な説明】
【００１４】
【図１】実施の形態１に係るエレベータシステムを導入したビルの各階のエレベータ乗場を模式的に示した図
【図２】エレベータシステムの電気的構成を示したブロック図
【図３】携帯端末用サーバ及び各制御装置などの電気的構成を示したブロック図
【図４】携帯端末の電気的構成を示したブロック図
【図５】携帯端末の表示部に表示される二次元コード読み取り指示画面の一例を示した図
【図６】携帯端末の表示部に表示される呼び登録画面の一例を示した図
【図７】携帯端末の表示部に表示される割当号機案内画面の一例を示した図
【図８】携帯端末が二次元コードを読み取ったときに行われる処理の一例を示したフローチャート
【図９】携帯端末用サーバが携帯端末から割当依頼生成用信号を受信したときに行われる処理の一例を示したフローチャート
【図１０】エレベータ管理制御装置が携帯端末用サーバから割当依頼信号を受信したときに行われる処理の一例を示したフローチャート
【図１１】携帯端末用サーバがエレベータ管理制御装置から割当結果信号を受信したときに行われる処理の一例を示したフローチャート
【図１２】実施の形態２に係るエレベータシステムの電気的構成を示したブロック図
【図１３】携帯端末が二次元コードを読み取ったときに行われる処理の一例を示したフローチャート
【図１４】携帯端末の表示部に表示される利用不可報知画面の一例を示した図
【図１５】携帯端末用サーバが携帯端末から割当依頼生成用信号を受信したときに行われる処理の一例を示したフローチャート
【図１６】他の実施の形態に係る携帯端末の電気的構成を示したブロック図
【発明を実施するための形態】
【００１５】
（実施の形態１）
本発明の実施形態について、図面を参照して説明する。
【００１６】
１．構成
１−１．エレベータシステムの概要
図１は、実施の形態１に係るエレベータシステムを導入したビルの各階のエレベータ乗場を模式的に示した図である。
【００１７】
本実施の形態に係るエレベータシステムは、荷物用エレベータバンクと、低層階エレベータバンクと、高層階エレベータバンクとを含んでいる。荷物用エレベータバンクは、１台のエレベータ１３０（Ｐ号機）を有する。低層階エレベータバンクは、６台のエレベータ２３０（Ａ〜Ｆ号機）を有する。高層階エレベータバンクは、６台のエレベータ３３０（Ｇ〜Ｌ号機）を有する。
【００１８】
荷物用エレベータバンクは、ＵＰ／ＤＯＷＮ登録方式（上下方向登録方式）を採用している。荷物用エレベータは、例えばビルの全階をサービスする。低層階エレベータバンク及び高層階エレベータバンクは、乗場行先階登録方式を採用している。低層階エレベータは、例えばビルのロビー階と低層階（例えば２〜１０階）をサービスする。高層階エレベータは、例えばビルのロビー階と高層階（例えば１１〜１９階）をサービスする。
【００１９】
荷物用エレベータ、低層階エレベータ、及び高層階エレベータのエレベータ乗場ＥＰ、ＥＬ、ＥＨのビル内壁面にはそれぞれ、異なる模様（パターン）を有する二次元コードＢＰ、ＢＬ、ＢＨが設けられている。二次元コードＢＰ、ＢＬ、ＢＨは、二次元コードＢＰ、ＢＬ、ＢＨを印刷したシールや板材をビル内壁面に貼り付けることで設けられてもよいし、ビル内壁面に直接二次元コードＢＰ、ＢＬ、ＢＨを印刷することで設けられてもよい。エレベータ利用者は、エレベータへの乗車前に、二次元コードＢＰ、ＢＬ、ＢＨのうち乗車希望のエレベータバンクの二次元コードを、所持する携帯端末５００のカメラ５０３で撮像する（カメラ５０３に読み取らせる）。携帯端末５００は、カメラ５０３で撮像して生成された撮像データに基づいてエレベータの割当依頼信号を生成してエレベータシステムに送信し、その応答としてエレベータシステムから割当号機信号を受信すると、受信した割当号機信号が示す割当号機の情報を表示部５０４に表示する。エレベータ利用者は、表示部５０４に表示された割当号機に乗車する。二次元コードＢＰ、ＢＬ、ＢＨは、例えばＱＲコード（登録商標）で構成できる。なお、本発明において、二次元コードはＱＲコードに限定されない。本発明において、二次元コードは、ＡｚｔｅｃＣｏｄｅ、Ｓｅｍａｃｏｄｅ、ＣＰｃｏｄｅ、ＰＤＦ４１７、Ｈｉｇｈ  Ｃａｐａｃｉｔｙ  Ｃｏｌｏｒ  Ｂａｒｃｏｄｅ等、その他の二次元コードであってもよい。
【００２０】
このような構成を採用することで、エレベータ乗場ＥＰ、ＥＬ、ＥＨに、上下方向呼び登録用の上方向ボタン及び下方向ボタンや、行先階登録用の行先階登録装置などを設ける必要がなくなる。そのため、エレベータシステムのシステム構成の簡素化及び低コスト化を図ることができる。なお、携帯端末５００を所持していないエレベータ利用者も存在し得るため、そのようなエレベータ利用者用に必要最低数の行先階登録装置を設けてもよい。この場合でも、従来のように多数の行先階登録装置を設ける必要がないため、エレベータシステムのシステム構成の簡素化及び低コスト化を図ることができる。
【００２１】
また、エレベータへの乗車前に二次元コードの表示を、所持する携帯端末５００のカメラ５０３に読み取らせる必要があるため、エレベータが設けられていない場所、例えば自宅やビル外部などから、悪戯で呼びを登録することができない。そのため、無駄呼びが発生せず、エレベータの運行効率を悪化させない。
【００２２】
以下、エレベータシステム及び携帯端末５００の構成や動作について詳しく説明する。
【００２３】
１−２．エレベータシステムの構成
図２は、エレベータシステムの電気的構成を示したブロック図である。
【００２４】
エレベータシステムは、前述したように、荷物用エレベータバンクと、低層階エレベータバンクと、高層階エレベータバンクとを含んでいる。荷物用エレベータバンクは、１台のエレベータ（Ｐ号機）を有する。低層階エレベータバンクは、６台のエレベータ（Ａ〜Ｆ号機）を有する。高層階エレベータバンクは、６台のエレベータ（Ｇ〜Ｌ号機）を有する。
【００２５】
エレベータ１３０、２３０、３３０はそれぞれ、乗車かご、巻上機（モータ）、釣合おもり等を有する。なお、以下では各エレベータへの符号の付与を適宜省略する。
【００２６】
荷物用エレベータバンクは、ＵＰ／ＤＯＷＮ登録方式（上下方向登録方式）を採用している。荷物用エレベータバンクは、１台のエレベータ（Ｐ号機）と、荷物用エレベータ管理制御装置１１０と、Ｐ号機用の号機制御装置１２０とを有する。荷物用エレベータ管理制御装置１１０は、１台のエレベータ（Ｐ号機）の運行を制御する。また、荷物用エレベータ管理制御装置１１０は、携帯端末用サーバ４００から呼びへの割当依頼信号を受信する都度、エレベータ（Ｐ号機）に呼びの割当を行う。なお、荷物用エレベータバンクは、複数台のエレベータを有していてもよい。この場合、荷物用エレベータ管理制御装置１１０は、携帯端末用サーバ４００から呼びへの割当依頼信号を受信する都度、複数台のエレベータのうちのいずれか１台に呼びの割当を行う。号機制御装置１２０は、荷物用エレベータ管理制御装置１１０からの制御信号にしたがって、対応する号機の巻上機（モータ）等の動作を制御することにより、対応する号機全体の上昇、下降、停止等を制御する。また、号機制御装置１２０は、対応する号機の位置、走行方向、ドアの開閉状態、かご荷重等を検知して、検知した情報を示す信号を荷物用エレベータ管理制御装置１１０に出力する。
【００２７】
低層階エレベータバンクは、乗場行先階登録方式を採用している。低層階エレベータバンクは、６台のエレベータ（Ａ〜Ｆ号機）と、低層階エレベータ群管理制御装置２１０と、Ａ〜Ｆ号機用の６台の号機制御装置２２０とを有する。低層階エレベータ群管理制御装置２１０は、６台のエレベータ（Ａ〜Ｆ号機）の運行を統合的に制御する。また、低層階エレベータ群管理制御装置２１０は、携帯端末用サーバ４００から呼びへの割当依頼信号を受信する都度、６台のエレベータ（Ａ〜Ｆ号機）のうちのいずれか１台に呼びの割当を行う。各号機制御装置２２０は、低層階エレベータ群管理制御装置２１０からの制御信号にしたがって、対応する号機の巻上機（モータ）等の動作を制御することにより、対応する号機全体の上昇、下降、停止等を制御する。また、号機制御装置２２０は、対応する号機の位置、走行方向、ドアの開閉状態、かご荷重等を検知して、検知した情報を示す信号を低層階エレベータ群管理制御装置２１０に出力する。
【００２８】
高層階エレベータバンクは、乗場行先階登録方式を採用している。高層階エレベータバンクは、６台のエレベータ（Ｇ〜Ｌ号機）と、高層階エレベータ群管理制御装置３１０と、Ｇ〜Ｌ号機用の６台の号機制御装置３２０とを有する。高層階エレベータ群管理制御装置３１０は、６台のエレベータ（Ｇ〜Ｌ号機）の運行を統合的に制御する。また、高層階エレベータ群管理制御装置３１０は、携帯端末用サーバ４００から呼びへの割当依頼信号を受信する都度、６台のエレベータ（Ｇ〜Ｌ号機）のうちのいずれか１台に呼びの割当を行う。各号機制御装置３２０は、高層階エレベータ群管理制御装置３１０からの制御信号にしたがって、対応する号機の巻上機（モータ）等の動作を制御することにより、対応する号機全体の上昇、下降、停止等を制御する。また、号機制御装置３２０は、対応する号機の位置、走行方向、ドアの開閉状態、かご荷重等を検知して、検知した情報を示す信号を高層階エレベータ群管理制御装置３１０に出力する。
【００２９】
携帯端末用サーバ４００、荷物用エレベータ管理制御装置１１０、低層階エレベータ群管理制御装置２１０、高層階エレベータ群管理制御装置３１０、及び号機制御装置１２０、２２０、３２０の各装置間は、情報伝送可能なネットワークＮＷを介して接続されている。ネットワークＮＷは、例えばＥｔｈｅｒｎｅｔ（登録商標）等のＬＡＮ（Ｌｏｃａｌ  Ａｒｅａ  Ｎｅｔｗｏｒｋ）により構成され、各装置間での各種の情報の送受信は、ＴＣＰ／ＩＰ等の各種のプロトコルにしたがって行われる。ネットワークＮＷ上に接続されている前述の各装置は、装置間において、各装置が有する入出力インタフェースにより、ＴＣＰ／ＩＰ等の各種のプロトコルにしたがった通信による信号伝送（情報伝送）が可能である。なお、群管理システムを構成する各装置間は、他の信号形式のネットワークや、専用の信号網を介して接続されてもよい。
【００３０】
携帯端末用サーバ４００、荷物用エレベータ管理制御装置１１０、低層階エレベータ群管理制御装置２１０、及び高層階エレベータ群管理制御装置３１０は、エレベータの運行制御を行う運行制御装置１００を構成する。
【００３１】
図３は、携帯端末用サーバ４００、荷物用エレベータ管理制御装置１１０、低層階エレベータ群管理制御装置２１０、高層階エレベータ群管理制御装置３１０、及び号機制御装置１２０、２２０、３２０の電気的構成を示したブロック図である。
【００３２】
携帯端末用サーバ４００、荷物用エレベータ管理制御装置１１０、低層階エレベータ群管理制御装置２１０、高層階エレベータ群管理制御装置３１０、及び号機制御装置１２０、２２０、３２０は、それぞれ、コンピュータ１０を利用して構成されている。コンピュータ１０は、制御部１１と、記憶部１２と、入出力インタフェース１３とを備える。
【００３３】
記憶部１２は、例えばＲＡＭ、ＲＯＭ、ＨＤＤ、ＳＳＤ等を利用して構成され、プログラムや種々のデータを格納している。プログラムは、各装置の各種機能を実現するためのプログラムを含む。
【００３４】
制御部１１は、例えばＣＰＵ、ＭＰＵ等を利用して構成される。制御部１１は、記憶部１２からプログラムや種々のデータを読み出して、読み出したプログラム等に基づいて種々の演算処理を行うことにより、各装置における後述する各種の機能を実現する。なお、制御部１１は、例えば、ハードウェア（電子回路）のみや、ＦＰＧＡ、ＡＳＩＣ等を利用して構成されてもよい。
【００３５】
入出力インタフェース１３は、例えばＬＡＮアダプタ等を利用して構成される。入出力インタフェース１３は、無線ＬＡＮアダプタなどの無線通信インタフェースを含んでもよい。入出力インタフェース１３は、各装置が他装置との間で各種信号を送受信するためのインタフェースである。入出力インタフェース１３は、制御部１１から出力される信号を所定の形式の信号に変換して他装置に出力する。また、入出力インタフェース１３は、他装置から入力された信号を所定の形式の信号に変換して制御部１１に出力する。
【００３６】
コンピュータ１０の制御部１１、記憶部１２、及び入出力インタフェース１３と、上記各装置の制御部、記憶部、及び入出力インタフェースとの対応関係を示す参照符号を図３において付している。携帯端末用サーバ４００は、制御部４０１と、記憶部４０２と、入出力インタフェース４０３とを備える。荷物用エレベータ管理制御装置１１０は、制御部１１１と、記憶部１１２と、入出力インタフェース１１３とを備える。高層階エレベータ群管理制御装置３１０は、制御部３１１と、記憶部３１２と、入出力インタフェース３１３とを備える。号機制御装置１２０は、制御部１２１と、記憶部１２２と、入出力インタフェース１２３とを備える。号機制御装置２２０は、制御部２２１と、記憶部２２２と、入出力インタフェース２２３とを備える。号機制御装置３２０は、制御部３２１と、記憶部３２２と、入出力インタフェース３２３とを備える。
【００３７】
１−３．携帯端末
図４は、携帯端末５００の電気的構成を示したブロック図である。
【００３８】
携帯端末５００は、エレベータ利用者の所持するスマートフォン等の携帯型のコンピュータを利用して構成されている。携帯端末５００は、制御部５０１、記憶部５０２、カメラ５０３、表示部５０４、操作部５０５、無線通信部５０６を有する。
【００３９】
制御部５０１は、例えばＣＰＵ、ＭＰＵ等を利用して構成される。制御部５０１は、記憶部５０２からプログラムや種々のデータを読み出して、読み出したプログラム等に基づいて種々の演算処理を行うことにより、携帯端末５００における後述する各種の機能を実現する。
【００４０】
記憶部５０２は、例えばＲＡＭ、ＲＯＭ、ＨＤＤ、ＳＳＤ等を利用して構成される。記憶部５０２は、プログラムや種々のデータを格納している。プログラムは、ＯＳや呼び登録用のアプリケーションプログラム（以下適宜「呼び登録アプリ」という）を含む。
【００４１】
カメラ５０３は、制御部５０１から撮像指示信号を受信したときに、被写体を撮像して撮像データを生成し、生成した撮像データを制御部５０１に出力する。カメラ５０３は、撮像部の一例である。
【００４２】
表示部５０４は、制御部５０１から出力される表示信号に基づく表示を行う。表示部５０４は、報知部の一例である。
【００４３】
操作部５０５は、利用者が携帯端末５００を操作するためのインタフェースである。操作部５０５は、操作部５０５の操作内容に対応する信号を制御部５０１に出力する。
【００４４】
表示部５０４及び操作部５０５は、例えば液晶ディスプレイパネルや有機ＥＬディスプレイパネル上にタッチセンサが配置されたタッチパネル式表示装置により一体的に構成されている。
【００４５】
無線通信部５０６は、無線通信用の諸規格に基づく無線通信を実行する。例えば、Ｗｉ−ｆｉ（登録商標）等の無線ＬＡＮ通信や、４Ｇ（Ｆｏｕｒｔｈ  Ｇｅｎｅｒａｔｉｏｎ）、５Ｇ（Ｆｉｆｔｈ  Ｇｅｎｅｒａｔｉｏｎ）等の携帯無線通信の諸規格に基づく無線通信を実行する。
【００４６】
制御部５０１は、カメラ５０３から出力された撮像データに所定の処理を施すことで、二次元コードに格納されているエレベータ管理情報などの種々の情報を取得することができる。
【００４７】
１−４．二次元コード
二次元コードＢＰ、ＢＬ、ＢＨは、例えばＱＲコード（登録商標）で構成できる。なお、二次元コードは、前述したように、ＡｚｔｅｃＣｏｄｅ、Ｓｅｍａｃｏｄｅ、ＣＰｃｏｄｅ、ＰＤＦ４１７、Ｈｉｇｈ  Ｃａｐａｃｉｔｙ  Ｃｏｌｏｒ  Ｂａｒｃｏｄｅ等、その他の二次元コードであってもよい。二次元コードは、ビルの各階床に配置されており、各階床に応じた情報を格納している。なお、二次元コードは、エレベータを利用可能な全ての階床に配置されてもよいし、一部の階床にのみ配置されてもよい。一部の階床にのみ配置した場合には、その他の階床に固定式の呼び登録装置を設ける必要があり、その分、固定式の呼び登録装置等のコストが若干増加するが、本発明はこれを排除するものではない。
【００４８】
二次元コードＢＰ、ＢＬ、ＢＨの各々は、ビル名、現在階、サービス可能階、ロケーション、エレベータバンク名、呼び登録方式の情報を格納している。
【００４９】
ビル名は、当該エレベータシステムが設置されているビルの名称である。
【００５０】
現在階は、個々の二次元コードが配置されている階床を示す情報である。
【００５１】
サービス可能階は、個々の二次元コードが配置されているエレベータバンクがサービスする階床である。
【００５２】
ロケーションは、二次元コードの配置位置を特定するための情報である。
【００５３】
エレベータバンク名は、エレベータバンクの名称である。エレベータバンク名は、エレベータバンク識別情報の一例である。
【００５４】
呼び登録方式は、各エレベータバンクの呼び登録方式を示す情報である。
【００５５】
２．動作
本実施の形態のエレベータシステムにおいてエレベータ利用者がエレベータに乗車するまでの携帯端末５００やエレベータシステムの動作を説明する。
【００５６】
図５は、携帯端末５００の表示部５０４に表示される二次元コード読み取り指示画面の一例を示した図である。図６は、携帯端末５００の表示部５０４に表示される呼び登録画面の一例を示した図である。図７は、携帯端末５００の表示部５０４に表示される割当号機案内画面の一例を示した図である。
【００５７】
エレベータ利用者は、エレベータへの乗車を希望する場合、エレベータへの乗車前に、携帯端末５００を操作して呼び登録アプリを起動させる。エレベータ利用者により呼び登録アプリが起動されると、携帯端末５００は、図５に例示するような二次元コード読み取り指示画面を生成して表示部５０４に表示する。図５では、「二次元コードを読み込んでください」というメッセージと、シャッタボタンＳｈと、二次元コード撮像枠Ｆｒとが表示されている。二次元コードを読み取る場合、ライブビュー状態の二次元コード撮像枠Ｆｒ内に、二次元コードを収めて、シャッタボタンＳｈに対して押し操作を行う。
【００５８】
なお、本実施の形態では複数のエレベータバンクが設けられているため、エレベータ利用者が、乗車希望でないエレベータバンクの二次元コードを誤って携帯端末５００で撮像しない（読み込まない）ように、二次元コード読み取り指示画面のメッセージを「利用希望のエレベータバンクの二次元コードを読み込んでください」という内容にしてもよい。
【００５９】
図５に示す二次元コード読み取り指示画面が表示されているときに、エレベータ利用者が携帯端末５００のカメラ５０３に、乗車希望のエレベータバンクの二次元コードを読み取らせると、携帯端末５００は、二次元コードに格納されているエレベータ管理情報に基づいて、表示部５０４に、乗車希望のエレベータバンクに応じた呼び登録画面を表示する。
【００６０】
例えば、図５に示す二次元コード読み取り指示画面が表示されているときに、エレベータ利用者が荷物用エレベータ乗場ＥＰの二次元コードＢＰを携帯端末５００のカメラ５０３に読み取らせると、携帯端末５００は、二次元コードＢＰに格納されているエレベータ管理情報に基づいて、図６（ａ）に示す荷物用エレベータ呼び登録画面を生成して表示部５０４に表示する。荷物用エレベータ呼び登録画面には、現在利用中のビル名、利用希望のエレベータバンク名、エレベータ利用者が現在いる階の案内（現在階案内）、上方向ボタン、及び下方向ボタンが表示される。図６（ａ）では、一例として、ビル名として「ＡＢＣビル」、エレベータバンク名として「荷物用エレベータ」、現在階案内として「あなたは今１階にいます」が表示されている。
【００６１】
そして、荷物用エレベータ呼び登録画面で上方向ボタンと下方向ボタンのいずれか一方がタッチされる（押される）と、携帯端末５００は、二次元コードＢＰに格納されている種々の情報と、タッチ操作により選択された乗車方向の情報とに基づいてエレベータの割当依頼信号を生成して携帯端末用サーバ４００に送信する。携帯端末用サーバ４００は、割当依頼信号に基づいて割当号機を決定して割当依頼信号を携帯端末５００に送信する。携帯端末５００は、割当依頼信号に対する応答として携帯端末用サーバ４００から割当号機信号を受信すると、受信した割当号機信号が示す割当号機の情報に基づいて、荷物用エレベータ割当号機案内画面を生成して表示部５０４に表示する。図７（ａ）は、上方向ボタンがタッチされた場合の荷物用エレベータ割当号機案内画面の例であり、図６（ａ）の下方向ボタンに代えて、「上方向を登録しました」という案内表示が行われる。エレベータ利用者は、上方向で到着したエレベータに乗車する。
【００６２】
これに対し、図５に示す二次元コード読み取り指示画面が表示されているときに、エレベータ利用者が低層階エレベータ乗場ＥＬの二次元コードＢＬを携帯端末５００のカメラ５０３に読み取らせると、携帯端末５００は、二次元コードＢＬに格納されているエレベータ管理情報に基づいて、図６（ｂ）に示す低層階エレベータ呼び登録画面を生成して表示部５０４に表示する。低層階エレベータ呼び登録画面には、現在利用中のビル名、利用希望のエレベータバンク名、エレベータ利用者が現在いる階の案内（現在階案内）、利用可能な各階床の階床ボタンが表示される。図６（ｂ）では、一例として、ビル名として「ＡＢＣビル」、エレベータバンク名として「２〜１０Ｆ用エレベータ」、現在階案内として「あなたは今１階にいます」、階床ボタンとして２〜１０階の各階の階床ボタンが表示されている。
【００６３】
そして、低層階エレベータ呼び登録画面でいずれかの階床ボタンがタッチされる（押される）と、携帯端末５００は、二次元コードＢＬに格納されている種々の情報と、タッチ操作により選択された階床ボタンの情報とに基づいてエレベータの割当依頼信号を生成して携帯端末用サーバ４００に送信する。携帯端末用サーバ４００は、割当依頼信号に基づいて割当号機を決定して割当依頼信号を携帯端末５００に送信する。携帯端末５００は、割当依頼信号に対する応答として携帯端末用サーバ４００から割当号機信号を受信すると、受信した割当号機信号が示す割当号機の情報に基づいて、低層階エレベータ割当号機案内画面を生成して表示部５０４に表示する。図７（ｂ）は、１０階ボタンがタッチされた場合の低層階エレベータ割当号機案内画面の例であり、図６（ｂ）の２〜１０階の各階の階床ボタンに代えて、「１０階→Ａ号機」という１０階をＡ号機に割り当てたことを案内する案内表示が行われる。
【００６４】
また、図５に示す二次元コード読み取り指示画面が表示されているときに、エレベータ利用者が高層階エレベータ乗場ＥＨの二次元コードＢＨを携帯端末５００のカメラ５０３に読み取らせると、携帯端末５００は、二次元コードＢＨに格納されているエレベータ管理情報に基づいて、図６（ｃ）に示す高層階エレベータ呼び登録画面を生成して表示部５０４に表示する。高層階エレベータ呼び登録画面には、現在利用中のビル名、利用希望のエレベータバンク名、エレベータ利用者が現在いる階の案内（現在階案内）、利用可能な各階床の階床ボタンが表示される。図６（ｃ）では、一例として、ビル名として「ＡＢＣビル」、エレベータバンク名として「１１〜１９Ｆ用エレベータ」、現在階案内として「あなたは今１階にいます」、階床ボタンとして１１〜１９階の各階の階床ボタンが表示されている。
【００６５】
そして、高層階エレベータ呼び登録画面でいずれかの階床ボタンがタッチされる（押される）と、携帯端末５００は、二次元コードＢＨに格納されている種々の情報と、タッチ操作により選択された階床ボタンの情報とに基づいてエレベータの割当依頼信号を生成して携帯端末用サーバ４００に送信する。携帯端末用サーバ４００は、割当依頼信号に基づいて割当号機を決定して割当依頼信号を携帯端末５００に送信する。携帯端末５００は、割当依頼信号に対する応答として携帯端末用サーバ４００から割当号機信号を受信すると、受信した割当号機信号が示す割当号機の情報に基づいて、高層階エレベータ割当号機案内画面を生成して表示部５０４に表示する。図７（ｃ）は、１３階ボタンがタッチされた場合の高層階エレベータ割当号機案内画面の例であり、図６（ｃ）の１１〜１９階の各階の階床ボタンに代えて、「１３階→Ｅ号機」という１３階をＧ号機に割り当てたことを案内する案内表示が行われる。
【００６６】
上記のような登録方法によると、エレベータ利用者が携帯端末５００でエレベータ乗場に配置された二次元コードを撮像する（読み取る）だけで、エレベータ利用者の携帯端末５００をエレベータを呼ぶための呼び登録装置として利用することができる。そのため、ビル設備としてエレベータ乗場に固定的に配置する呼び登録装置を削減しまたは無くすことができる。したがって、エレベータシステムを簡素化及び低コスト化できる。また、据置きの呼び登録装置数が減るので、ビル全体としての消費電力量が減少し、省エネ効果も得ることができる。
【００６７】
また、エレベータ乗場に配置された二次元コードを携帯端末５００で読み取らなければ、割当依頼信号を送信できないため、エレベータ乗場以外の場所では、携帯端末５００を利用した呼び登録を行うことができない。そのため、いたずらなどによる無駄呼びの発生を抑制できる。
【００６８】
携帯端末５００及びエレベータシステムの上記動作を各種のフローチャートを参照してより詳しく説明する。
【００６９】
図８は、携帯端末５００が二次元コードを読み取ったときに行われる処理の一例を示したフローチャートである。
【００７０】
この処理は、エレベータ利用者によって呼び登録アプリの起動操作がなされたときに、携帯端末５００の記憶部５０２に格納されている呼び登録アプリを制御部５０１が読み出して実行することによって実現される。
【００７１】
呼び登録アプリの起動操作がなされると、携帯端末５００の制御部５０１は、表示部５０４に、前述した図５に示す二次元コード読み取り指示画面を表示する（Ｓ１０）。
【００７２】
携帯端末５００の制御部５０１は、二次元コードの読み取り（撮像）が完了したか否かを判断する（Ｓ１１）。ここで、携帯端末５００の制御部５０１は、例えば、エレベータ利用者により二次元コード読み取り指示画面上のシャッタボタンＳｈが押されて、カメラ５０３で二次元コードの撮像データが生成されたときに、二次元コードの読み取り（撮像）が完了したと判断する。
【００７３】
二次元コードの読み取りが完了していない場合（Ｓ１１でＮＯ）、携帯端末５００の制御部５０１は、ステップＳ１１の判断を再度実行する。
【００７４】
二次元コードの読み取りが完了した場合（Ｓ１１でＹＥＳ）、携帯端末５００の制御部５０１は、二次元コードに含まれる情報（以下適宜「二次元コード情報」という）を取得する（Ｓ１２）。
【００７５】
携帯端末５００の制御部５０１は、二次元コードに格納されている登録方式の情報がＵＰ／ＤＯＷＮ登録方式を示しているか否かを判断する（Ｓ１３）。
【００７６】
二次元コードに格納されているエレベータ管理情報が示す登録方式がＵＰ／ＤＯＷＮ登録方式である場合（Ｓ１３でＹＥＳ）、携帯端末５００の制御部５０１は、図６（ａ）に例示するようなＵＰ／ＤＯＷＮ登録方式用の呼び登録画面を生成し（Ｓ１４）、生成した呼び登録画面を表示部５０４に表示させる（Ｓ１５）。
【００７７】
携帯端末５００の制御部５０１は、表示部５０４に表示中のＵＰボタンとＤＯＷＮボタンのいずれかが押されたか（タッチ操作があったか）否かを判断する（Ｓ１６）。
【００７８】
ＵＰボタンとＤＯＷＮボタンのいずれも押されていない場合（Ｓ１６でＮＯ）、携帯端末５００の制御部５０１は、表示部５０４に呼び登録画面を表示してから所定時間が経過したか否かを判断する（Ｓ１７）。所定時間は、利用者の乗車意思（操作意思）の有無を適切に確認できる程度の時間であり、例えば３０秒である。
【００７９】
所定時間が経過していない場合（Ｓ１７でＮＯ）、携帯端末５００の制御部５０１は、ステップＳ１６に戻る。
【００８０】
所定時間が経過した場合（Ｓ１７でＹＥＳ）、携帯端末５００の制御部５０１は、ステップＳ１０に戻る。つまり、利用者に乗車意思がない可能性があるので、一旦、処理を初期化するものである。
【００８１】
ステップＳ１６において、ＵＰボタンとＤＯＷＮボタンのいずれかが押された場合（Ｓ１６でＹＥＳ）、携帯端末５００の制御部５０１は、携帯端末用サーバ４００に割当依頼生成用信号を送信する（Ｓ１８）。割当依頼生成用信号は、エレベータバンク名、現在階（登録階）、ボタン名、端末ＩＤ、ロケーションの情報を含み、割当依頼信号の生成を携帯端末用サーバ４００に依頼する指令である。
【００８２】
携帯端末５００の制御部５０１は、割当依頼生成用信号に対する応答として、携帯端末用サーバ４００から、割当号機の情報を格納する割当号機信号を受信すると、受信した割当号機信号に基づいて、図７（ａ）に例示するようなＵＰ／ＤＯＷＮ登録方式用の割当号機案内画面を生成し（Ｓ１９）、生成した割当号機案内画面を表示部５０４に表示させる（Ｓ２０）。これにより、エレベータ利用者は、自己が登録した呼びに対する割当号機を知ることができる。
【００８３】
なお、携帯端末５００の制御部５０１は、割当号機案内画面を、割当号機が現在階（登録階）に到着する迄の間表示させてもよい。運行制御装置１０００は、各エレベータの現在位置（現在いる階床）を認識しているので、割当号機が現在階（登録階）に到着することを判断できる。そのため、例えば、運行制御装置１０００が、割当号機がまもなく到着することを示す到着信号を携帯端末５００に送信することで、携帯端末５００が割当号機の到着を認識して、割当号機が現在階（登録階）に到着する迄の間、割当号機案内画面を表示させることができる。これにより、エレベータ利用者は、自己が割当号機に乗車すべきタイミングを知ることができる。また、割当号機が現在階（登録階）に到着したことを報知するホールランタンや、割当号機等のエレベータが現在いる階床を報知するインジケータなどを省略できる。
【００８４】
ステップＳ１３において、二次元コードに格納されているエレベータ管理情報が示す登録方式がＵＰ／ＤＯＷＮ登録方式でない場合（Ｓ１３でＮＯ）、つまり本エレベータシステムでは、登録方式が行先階登録方式である場合、携帯端末５００の制御部５０１は、図６（ｂ）や図６（ｃ）に例示するような行先階登録方式用の呼び登録画面を生成し（Ｓ２１）、生成した呼び登録画面を表示部５０４に表示させる（Ｓ２２）。なお、二次元コードから取得したエレベータ管理情報が示すエレベータバンク名が低層階エレベータバンクであるときは、携帯端末５００の制御部５０１は、図６（ｂ）の低層階エレベータの呼び登録画面を表示部５０４に表示させ、二次元コードから取得したエレベータ管理情報が示すエレベータバンク名が高層階エレベータバンクであるときは、携帯端末５００の制御部５０１は、図６（ｃ）の高層階エレベータの呼び登録画面を表示部５０４に表示させる。
【００８５】
携帯端末５００の制御部５０１は、表示部５０４に表示中のいずれかの行先階ボタンが押されたか（タッチ操作があったか）否かを判断する（Ｓ２３）。
【００８６】
いずれの行先階ボタンも押されていない場合（Ｓ２３でＮＯ）、携帯端末５００の制御部５０１は、表示部５０４に呼び登録画面を表示してから所定時間が経過したか否かを判断する（Ｓ２４）。
【００８７】
所定時間が経過していない場合（Ｓ２４でＮＯ）、携帯端末５００の制御部５０１は、ステップＳ２３に戻る。
【００８８】
所定時間が経過した場合（Ｓ２４でＹＥＳ）、携帯端末５００の制御部５０１は、ステップＳ１０に戻る。つまり、利用者に乗車意思がない可能性があるので、一旦、処理を初期化するものである。
【００８９】
ステップＳ２３において、いずれの行先階ボタンが押された場合（Ｓ２３でＹＥＳ）、携帯端末５００の制御部５０１は、携帯端末用サーバ４００に割当依頼生成用信号を送信する（Ｓ２５）。割当依頼生成用信号は、エレベータバンク名、現在階（登録階）、ボタン名、端末ＩＤ、ロケーションの情報を含み、割当依頼信号の生成を携帯端末用サーバ４００に依頼する指令である。
【００９０】
携帯端末５００の制御部５０１は、割当依頼生成用信号に対する応答として、携帯端末用サーバ４００から、割当号機の情報を格納する割当号機信号を受信すると、受信した割当号機信号に基づいて、図７（ｂ）や図７（ｃ）に例示するような行先階登録方式用の割当号機案内画面を生成し（Ｓ２６）、生成した割当号機案内画面を表示部５０４に表示させる（Ｓ２７）。なお、二次元コードから取得したエレベータ管理情報が示すエレベータバンク名が低層階エレベータバンクであるときは、携帯端末５００の制御部５０１は、図７（ｂ）の低層階エレベータの割当号機案内画面を表示部５０４に表示させ、二次元コードから取得したエレベータ管理情報が示すエレベータバンク名が高層階エレベータバンクであるときは、携帯端末５００の制御部５０１は、図７（ｃ）の高層階エレベータの割当号機案内画面を表示部５０４に表示させる。また、携帯端末５００の制御部５０１は、ステップＳ２０において説明したように、割当号機案内画面を、割当号機が現在階（登録階）に到着する迄の間表示させてもよく、これにより同様の効果が得られる。
【００９１】
図９は、携帯端末用サーバ４００が携帯端末５００から割当依頼生成用信号を受信したときに行われる処理の一例を示したフローチャートである。
【００９２】
携帯端末用サーバ４００の制御部４０１は、携帯端末５００から割当依頼生成用信号を受信したか否かを判断する（Ｓ３１）。
【００９３】
携帯端末５００から割当依頼生成用信号を受信していない場合（Ｓ３１でＮＯ）、携帯端末用サーバ４００の制御部４０１は、ステップＳ３１を再度実行する。
【００９４】
携帯端末５００から割当依頼生成用信号を受信した場合（Ｓ３１でＹＥＳ）、携帯端末用サーバ４００の制御部４０１は、割当依頼生成用信号に含まれるエレベータバンク名の情報に基づいて、割当依頼信号の送信先のエレベータ管理制御装置を決定する（Ｓ３２）。「エレベータ管理制御装置」とは、荷物用エレベータ管理制御装置１１０、低層階エレベータ群管理制御装置２１０、及び高層階エレベータ群管理制御装置３１０に関する総称である。携帯端末用サーバ４００の制御部４０１は、割当依頼生成用信号に含まれるエレベータバンク名が荷物用エレベータバンクであるときは、送信先のエレベータ管理制御装置として荷物用エレベータ管理制御装置１１０に決定する。また、割当依頼生成用信号に含まれるエレベータバンク名が高層階エレベータバンクであるときは、送信先のエレベータ管理制御装置として高層階エレベータ群管理制御装置３１０に決定する。また、割当依頼生成用信号に含まれるエレベータバンク名が低層階エレベータバンクであるときは、送信先のエレベータ管理制御装置として低層階エレベータ群管理制御装置２１０に決定する。
【００９５】
携帯端末用サーバ４００の制御部４０１は、決定されたエレベータ管理制御装置に割当依頼信号を送信する（Ｓ３３）。割当依頼信号は、現在階（登録階）、行先方向または行先階、ロケーション、端末ＩＤの情報を含み、携帯端末５００から受信した割当依頼生成用信号に対して、つまりエレベータ呼びに対していずれかのエレベータの割当をエレベータ管理制御装置に依頼する指令である。
【００９６】
ステップＳ３３で割当依頼信号を送信すると、携帯端末用サーバ４００の制御部４０１は、ステップＳ３１に戻り、他の携帯端末５００から割当依頼生成用信号を受信したか否かを判断する。
【００９７】
図１０は、エレベータ管理制御装置が携帯端末用サーバ４００から割当依頼信号を受信したときに行われる処理の一例を示したフローチャートである。
【００９８】
なお、「エレベータ管理制御装置」とは、前述したように、荷物用エレベータ管理制御装置１１０、低層階エレベータ群管理制御装置２１０、及び高層階エレベータ群管理制御装置３１０の総称である。荷物用エレベータ管理制御装置１１０、低層階エレベータ群管理制御装置２１０、及び高層階エレベータ群管理制御装置３１０は、自装置の記憶部１１２、２１２、３１２に、図１０のフローチャートを実行するためのプログラムをそれぞれ格納している。これにより、当該プログラムに基づく図１０のフローチャートにしたがった制御は、荷物用エレベータ管理制御装置１１０、低層階エレベータ群管理制御装置２１０、及び高層階エレベータ群管理制御装置３１０の各々において、並行して実行される。
【００９９】
エレベータ管理制御装置の制御部は、携帯端末用サーバ４００から割当依頼信号を受信したか否かを判断する（Ｓ４１）。
【０１００】
携帯端末用サーバ４００から割当依頼信号を受信していない場合（Ｓ４１でＮＯ）、エレベータ管理制御装置の制御部は、ステップＳ４１を再度実行する。
【０１０１】
携帯端末用サーバ４００から割当依頼信号を受信した場合（Ｓ４１でＹＥＳ）、エレベータ管理制御装置の制御部は、割当依頼信号に係る呼びを割り当てる号機（割当号機）を決定する（Ｓ４２）。なお、荷物用エレベータ管理制御装置１１０は、割当依頼信号に係る呼びをＰ号機に割り当てる。また、低層階エレベータ群管理制御装置２１０は、割当依頼信号に係る呼びを、低層階エレベータバンクのＡ号機〜Ｆ号機のうちのいずれか１台に割り当てる。また、高層階エレベータ群管理制御装置３１０は、割当依頼信号に係る呼びを、低層階エレベータバンクのＧ号機〜Ｌ号機のうちのいずれか１台に割り当てる。
【０１０２】
ここで、割当依頼信号に係る呼びの割り当ては、公知の割当手順などにしたがって行うことができる。本実施の形態では、エレベータ管理情報にロケーションの情報が含まれているため、エレベータ管理制御装置の制御部は、例えば複数の二次元コードのロケーションと各エレベータバンク内の複数のエレベータとの組み合わせに応じた利用者移動時間を求め、全利用者待ち時間の総和が最小となるような割り当てを行うことも可能である。
【０１０３】
エレベータ管理制御装置の制御部は、割当結果信号を携帯端末用サーバ４００に送信する（Ｓ４３）。割当結果信号は、割当号機、及び端末ＩＤの情報を含み、携帯端末用サーバ４００に割当結果を報知する信号である。
【０１０４】
図１１は、携帯端末用サーバ４００がエレベータ管理制御装置から割当結果信号を受信したときに行われる処理の一例を示したフローチャートである。
【０１０５】
携帯端末用サーバ４００の制御部４０１は、荷物用エレベータ管理制御装置１１０、低層階エレベータ群管理制御装置２１０、及び高層階エレベータ群管理制御装置３１０のうちいずれかのエレベータ管理制御装置から割当結果信号を受信したか否かを判断する（Ｓ５１）。
【０１０６】
いずれのエレベータ管理制御装置からも割当結果信号を受信していない場合（Ｓ５１でＮＯ）、携帯端末用サーバ４００の制御部４０１は、ステップＳ５１を再度実行する。
【０１０７】
いずれかのエレベータ管理制御装置から割当結果信号を受信した場合（Ｓ５１でＹＥＳ）、携帯端末用サーバ４００の制御部４０１は、割当結果信号に含まれる端末ＩＤに基づいて、割当号機信号の送信先の携帯端末５００を決定する（Ｓ５２）。
【０１０８】
携帯端末用サーバ４００の制御部４０１は、決定した携帯端末５００に割当号機信号を送信する（Ｓ５３）。割当号機信号は、割当号機の情報を含む信号である。ここで、携帯端末用サーバ４００は、上述したステップＳ３１で携帯端末５００から割当依頼生成用信号を受信した際、割当依頼生成用信号に含まれる端末ＩＤと、無線通信で用いられたアドレス情報（ＩＰアドレスや電話番号）とを紐付けて記憶部４０２に記憶させる。携帯端末用サーバ４００の制御部４０１は、いずれかのエレベータ管理制御装置から割当結果信号を受信すると、割当結果信号に含まれる端末ＩＤに基づいて、対応するアドレス情報を記憶部４０２から読み出し、このアドレス情報に基づいて、決定した携帯端末５００に割当号機信号を送信する。
【０１０９】
３．まとめ
（１）本実施の形態の携帯端末５００は、
エレベータの運行制御を行う運行制御装置１０００と無線通信を行う無線通信部５０６と、
画像を表示する表示部５０４（報知部の一例）と、
カメラ５０３（撮像部の一例）と、
制御部５０１と、を備え、
制御部５０１は、
（ｉ）カメラ５０３に、エレベータ乗場に配置されかつ少なくともエレベータ乗場毎に異なる模様を有する二次元コード（模様画の一例）を撮像させて撮像データを生成し、
（ii）生成した撮像データに基づいて呼び登録のためのエレベータ管理情報を取得し、
（iii）取得したエレベータ管理情報に基づいて、エレベータの割当を依頼する割当依頼信号を生成し、
（iv）生成した割当依頼信号を無線通信部５０６を用いて運行制御装置１０００に送信し、
（v）運行制御装置１０００から割当依頼信号に対する応答として割当号機を示す割当号機信号を受信すると、表示部５０４に、割当号機を案内する情報を表示（報知の一例）させる。
【０１１０】
本実施の形態によれば、エレベータ乗場に呼び登録用の二次元コードを配置したことで、エレベータ利用者の携帯端末５００をエレベータを呼ぶための呼び登録装置として利用することができるようになる。そのため、ビル設備としてエレベータ乗場に固定的に配置する呼び登録装置を削減しまたは無くすことができる。したがって、エレベータシステムを簡素化及び低コスト化できる。また、据置きの呼び登録装置数が減るので、ビル全体としての消費電力量が減少し、省エネ効果も得ることができる。
【０１１１】
また、エレベータ乗場に配置された二次元コードを携帯端末５００で読み取らなければ、割当依頼信号を送信できないため、エレベータ乗場以外の場所では、携帯端末５００を利用した呼び登録を行うことができない。そのため、いたずらなどによる無駄呼びの発生を抑制できる。
【０１１２】
（２）本実施の形態の携帯端末５００において、
制御部５０１は、（ii）において、
二次元コードの撮像データからエレベータ管理情報を取得する。
【０１１３】
これによれば、エレベータ管理情報を容易に取得できる。
【０１１４】
（５）本実施の形態の携帯端末５００において、
模様画は、二次元コードである。
【０１１５】
これによれば、広く利用されている二次元コードを用いて上記の各種効果を得ることができる。
【０１１６】
（１１）本実施の形態の携帯端末５００において、
エレベータ管理情報は、現在階に関する情報を含み、
報知部は、画像を表示する表示部５０４であり、
制御部５０１は、（iii）において、
取得したエレベータ管理情報に基づいて、表示部５０４に、利用者による行先階または行先方向の指定を受け付ける呼び登録画面を表示させ、
呼び登録画面で指定された行先階または行先方向を示す情報とエレベータ管理情報に含まれる現在階を示す情報とを格納する割当依頼信号を生成する。
【０１１７】
これによれば、利用者が携帯端末５００の呼び登録画面で行先階または行先方向を指定して呼びを登録できる。また、現在階（登録階（出発階））については指定が不要となる。
【０１１８】
（１２）本実施の形態の携帯端末５００において、
制御部５０１は、（v）において、
割当依頼信号に対する応答として、運行制御装置１０００から割当号機信号を受信すると、表示部５０４に、割当号機を案内する割当号機案内画面を表示させる。
【０１１９】
これによれば、利用者が携帯端末５００の割当号機案内画面で割当号機を知ることができる。
【０１２０】
（１３）本実施の形態の携帯端末５００において、
エレベータ管理情報は、ビルに複数のエレベータバンクが設けられている場合におけるエレベータバンクを識別するためのエレベータバンク識別情報を含む。
【０１２１】
これによれば、運行制御装置１０００において、割当依頼信号に係る呼びを、エレベータバンク識別情報に応じたエレベータバンクのエレベータに割り当てることができる。
【０１２２】
（１４）本実施の形態のプログラムは、
コンピュータを、携帯端末５００の制御部５０１として機能させる。
【０１２３】
これによれば、コンピュータを利用して、本実施の形態の種々の機能を実行する携帯端末５００を実現できる。
【０１２４】
（１５）本実施の形態のエレベータシステムは、
携帯端末５００と無線通信を行ってエレベータの運行制御を行う運行制御装置１０００を有するエレベータシステムであって、
エレベータ乗場に、エレベータ乗場毎に異なる模様を有する二次元コード（模様画の一例）が配置されており、
携帯端末５００は、二次元コードを撮像して生成した撮像データに基づいて取得した呼び登録用のエレベータ管理情報に基づいてエレベータの割当を依頼する割当依頼信号を生成して運行制御装置１０００に送信するように構成されており、
運行制御装置１０００は、
携帯端末５００から割当依頼信号を受信すると、割当依頼信号に係る呼びをエレベータに割り当て、
割り当てたエレベータを示す割当号機信号を携帯端末５００に送信する。
【０１２５】
これによれば、利用者が携帯端末５００でエレベータ乗場に配置された二次元コードを撮像することで、利用者の携帯端末５００をエレベータを呼ぶための呼び登録装置として利用することができるようになる。そのため、ビル設備としてエレベータ乗場に固定的に配置する呼び登録装置を削減しまたは無くすことができる。したがって、エレベータシステムを簡素化及び低コスト化できる。
【０１２６】
また、エレベータ乗場に配置された二次元コードを携帯端末５００で読み取らなければ、割当依頼信号を送信できないため、エレベータ乗場以外の場所では、携帯端末５００を利用した呼び登録を行うことができない。そのため、いたずらなどによる無駄呼びの発生を抑制できる。
【０１２７】
（１７）本実施の形態のエレベータシステムにおいて、
複数のエレベータバンクを含み、
エレベータ管理情報は、エレベータバンクを識別するためのエレベータバンク識別情報を含み、
運行制御装置１０００は、エレベータバンク識別情報に応じて、割当依頼信号に係る呼びを割り当てるエレベータを決定する。
【０１２８】
これによれば、割当依頼信号に係る呼びを、エレベータバンク識別情報に応じたエレベータバンクのエレベータに割り当てることができる。
【０１２９】
（実施の形態２）
実施の形態２では、利用者に応じて、利用することができるエレベータバンクを制限するように構成している。以下では、実施の形態１との相違点を中心に説明する。
【０１３０】
１．構成
図１２は、実施の形態２に係るエレベータシステムの電気的構成を示したブロック図である。
【０１３１】
本実施の形態は、実施の形態１と同様のハードウェアを有するが、携帯端末用サーバ４００の記憶部４０２に、利用可能バンクデータベース（以下「利用可能バンクＤＢ」が格納されている。利用可能バンクＤＢは、携帯端末５００の端末ＩＤと、当該携帯端末５００を所持するエレベータ利用者が利用可能なエレベータバンク名とを紐付けて記憶している。これらの内容は、本実施の形態の携帯端末５００の利用を開始する前に、予め登録される。例えば、ある端末ＩＤには利用可能バンクとして低層階エレベータバンクのみが紐付けられ、ある端末ＩＤには利用可能バンクとして低層階エレベータバンクと低層階エレベータバンクが紐付けられ、ある端末ＩＤには利用可能バンクとして荷物用エレベータバンクのみが紐付けられる。
【０１３２】
２．動作
図１３は、携帯端末５００が二次元コードを読み取ったときに行われる処理の一例を示したフローチャートである。図１４は、携帯端末の表示部に表示される利用不可報知画面の一例を示した図である。
【０１３３】
本フローチャートは、実施の形態１の図８のフローチャートとは、ステップＳ１２Ａ、Ｓ１２Ｂ、Ｓ１２Ｃ，Ｓ１２Ｄが付加されている点で異なる。
【０１３４】
具体的に、携帯端末５００の制御部５０１は、二次元コード情報を取得すると（Ｓ１２）、携帯端末用サーバ４００に利用可否問合せ信号を送信する（Ｓ１２Ａ）。利用可否問合せ信号は、携帯端末５００の端末ＩＤと、二次元コード情報に含まれるエレベータバンク名の情報とを含み、当該携帯端末５００を所持するエレベータ利用者が、当該エレベータバンク名が示すエレベータバンクを利用可能な否かを問い合わせる信号である。
【０１３５】
携帯端末５００の制御部５０１は、携帯端末用サーバ４００から利用可否応答信号を受信したか否かを判断する（Ｓ１２Ｂ）。利用可否応答信号は、利用可否問合せ信号に対する応答の信号であり、「利用可能」または「利用不可」の情報を格納する。
【０１３６】
携帯端末用サーバ４００から利用可否応答信号を受信していない場合（Ｓ１２ＢでＮＯ）、携帯端末５００の制御部５０１は、ステップＳ１２Ｂを再度実行する。
【０１３７】
携帯端末用サーバ４００から利用可否応答信号を受信した場合（Ｓ１２ＢでＹＥＳ）、携帯端末５００の制御部５０１は、利用可否応答信号の内容が「利用可能」であるか否かを判断する（Ｓ１２Ｃ）。
【０１３８】
利用可否応答信号の内容が「利用可能」である場合（Ｓ１２ＣでＹＥＳ）、携帯端末５００の制御部５０１は、ステップＳ１３以後において、実施の形態１同様の処理を行う。
【０１３９】
これに対し、利用可否応答信号の内容が「利用可能」ではない場合（Ｓ１２ＣでＮＯ）、つまり利用可否応答信号の内容が「利用不可」である場合、携帯端末５００の制御部５０１は、図１４に例示するような、本バンクを利用できないことを報知するための利用不可報知画面を生成して表示部５０４に表示させて（Ｓ１２Ｄ）、ステップＳ１０に戻る。
【０１４０】
図１５は、携帯端末用サーバ４００が携帯端末５００から割当依頼生成用信号を受信したときに行われる処理の一例を示したフローチャートである。
【０１４１】
本フローチャートでは、実施の形態１の図９のフローチャートに対して、ステップＳ３０Ａ〜Ｓ３０Ｅが付加されるとともに、ステップＳ３１に代えてＳ３１Ａが設けられている。
【０１４２】
具体的に、携帯端末用サーバ４００の制御部４０１は、携帯端末５００から何らかの信号を受信したか否かを判断する（Ｓ３０Ａ）。
【０１４３】
携帯端末５００から何も信号を受信していない場合（Ｓ３０ＡでＮＯ）、携帯端末用サーバ４００の制御部４０１は、ステップＳ３０Ａを再度実行する。
【０１４４】
携帯端末５００から何らかの信号を受信した場合（Ｓ３０ＡでＹＥＳ）、携帯端末用サーバ４００の制御部４０１は、受信した信号が利用可否問合せ信号か否かを判断する（Ｓ３０Ｂ）。
【０１４５】
受信した信号が利用可否問合せ信号である場合（Ｓ３０ＢでＹＥＳ）、携帯端末用サーバ４００の制御部４０１は、利用可否問合せ信号が格納する端末ＩＤと利用可能バンクとの組み合わせが利用可能バンクＤＢに登録されているか否かを判断する（Ｓ３０Ｃ）。
【０１４６】
この組み合わせが利用可能バンクＤＢに登録されている場合（Ｓ３０ＣでＹＥＳ）、携帯端末用サーバ４００の制御部４０１は、携帯端末５００に「利用可能」信号を送信する（Ｓ３０Ｄ）。
【０１４７】
この組み合わせが利用可能バンクＤＢに登録されていない場合（Ｓ３０ＣでＮＯ）、携帯端末用サーバ４００の制御部４０１は、携帯端末５００に「利用不可」信号を送信する（Ｓ３０Ｅ）。
【０１４８】
ステップＳ３０Ｂの判断において、受信した信号が利用可否問合せ信号でない場合（Ｓ３０ＢでＮＯ）、携帯端末用サーバ４００の制御部４０１は、受信した信号が割当依頼生成用信号か否かを判断する（Ｓ３１Ａ）。
【０１４９】
受信した信号が割当依頼生成用信号でない場合（Ｓ３１ＡでＮＯ）、携帯端末用サーバ４００の制御部４０１は、ステップＳ３０Ａに戻る。
【０１５０】
受信した信号が割当依頼生成用信号である場合（Ｓ３１ＡでＹＥＳ）、携帯端末用サーバ４００の制御部４０１は、ステップＳ３２以後において、実施の形態１同様の処理を実行する。
【０１５１】
上記のような構成を有する本実施の形態によると、利用者に応じて、利用することができるエレベータバンクを制限することができる。そのため、ビルのセキュリティが向上する。
【０１５２】
３．まとめ
（１８）本実施の形態のエレベータシステムにおいて、
運行制御装置１０００の携帯端末用サーバ４００は、携帯端末５００の端末ＩＤ（端末識別情報）と携帯端末５００の所持者の利用が許容されるエレベータバンクを示す利用可能バンク情報（利用可能バンクＤＢ）を格納する記憶部４０２を備え、
運行制御装置１０００は、携帯端末５００から、割当依頼信号及び端末ＩＤを受信すると、端末ＩＤに紐付けられた利用可能バンク情報を読み出して、携帯端末５００の所持者が、エレベータバンク識別情報が示すエレベータバンクの利用が許容されるか否かを判断する。
【０１５３】
これによれば、乗客に応じて、利用することができるエレベータバンクを制限することができる。そのため、ビルのセキュリティが向上する。
【０１５４】
（その他の実施の形態）
（Ａ）
前記各実施の形態では、報知部を表示部５０４で構成した。しかし、本発明において、報知部は、表示部でなく、音声を出力する音声出力部で構成されてもよい。あるいは、報知部は、表示部と音声出力部との両方で構成されてもよい。
【０１５５】
（Ｂ）
前記各実施の形態では、撮像部をカメラ５０３で構成した。しかし、本発明において、撮像部は、カメラでなく、画像を読み取り可能なスキャナで構成されてもよい。
【０１５６】
（Ｃ）
前記各実施の形態では、二次元コードＢＰ、ＢＬ、ＢＨの各々が、ビル名、現在階、サービス可能階、ロケーション、エレベータバンク名、及び呼び登録方式の情報を格納している。しかし、本発明では、二次元コードＢＰ、ＢＬ、ＢＨの各々は、これらの二次元コードを一意に識別するための二次元コード識別情報（模様画識別情報の一例）のみを格納していてもよい。この場合、携帯端末５００の制御部５０１は、生成した撮像データに基づいて呼び登録のためのエレベータ管理情報を以下のように取得する。
【０１５７】
例えば、携帯端末５００は、二次元コードＢＰ、ＢＬ、ＢＨを識別するための二次元コード識別情報に紐付けてエレベータ管理情報を記憶部５０２に格納する。携帯端末５００の制御部５０１は、二次元コードの撮像データから二次元コード識別情報を取得し、取得した二次元コード識別情報に紐付けられているエレベータ管理情報を、記憶部５０２から取得する。制御部５０１は、取得したエレベータ管理情報に基づいて、エレベータの割当を依頼する割当依頼信号を生成する。
【０１５８】
要するに、
（３）携帯端末（５００）は、
模様画を識別するための模様画識別情報（例えば二次元コード識別情報）に紐付けてエレベータ管理情報を格納する記憶部（５０２）を備え、
制御部（５０１）は、前記（ii）において、
模様画の撮像データから模様画識別情報を取得し、
取得した模様画識別情報に紐付けられているエレベータ管理情報を、前記記憶部（５０２）から取得する。
【０１５９】
なお、二次元コードＢＰ、ＢＬ、ＢＨの各々に上述のように二次元コード識別情報（模様画識別情報の一例）のみを格納する場合において、次のように構成してもよい。すなわち、二次元コードＢＰ、ＢＬ、ＢＨを識別するための二次元コード識別情報に紐付けてエレベータ管理情報を運行制御装置１０００の携帯端末用サーバ４００の記憶部４０２に格納する。この場合、携帯端末５００の制御部５０１は、二次元コードの撮像データから二次元コード識別情報を取得し、取得した二次元コード識別情報を、無線通信部５０６を用いて運行制御装置１０００に送信する。運行制御装置１０００の携帯端末用サーバ４００の制御部４０１は、携帯端末５００から送信されてきた二次元コード識別情報に紐付けられているエレベータ管理情報を記憶部４０２から読み出して、携帯端末５００に送信する。このように、携帯端末５００の制御部５０１は、無線通信部５０６を用いて運行制御装置１０００と無線通信を行うことで、運行制御装置１０００の携帯端末用サーバ４００の記憶部４０２からエレベータ管理情報を取得する。
【０１６０】
要するに、
（４）模様画を識別するための模様画識別情報に紐付けてエレベータ管理情報を格納する記憶部（４０２）が運行制御装置（１０００）に備えられており、
制御部（５０１）は、（ii）において、
模様画の撮像データから模様画識別情報を取得し、
取得した模様画識別情報に紐付けられているエレベータ管理情報を、無線通信部（５０６）を用いて運行制御装置（１０００）と無線通信を行うことで、運行制御装置（１０００）の記憶部（４０２）から取得する。
【０１６１】
（Ｄ）
前記各実施の形態では、模様画及び二次元コードとしてＱＲコードを例示した。しかし、本発明において、模様画は、エレベータ乗場毎に異なる模様を有している限り、ＱＲコードでなく、他の種類の二次元コードや絵画や写真であってもよい。なお、模様画が絵画や写真であるときは、模様画識別情報として画像認識等における絵画や写真の特徴量を用いることができる。あるいは、絵画や写真内に模様画識別情報のデータを埋め込んでもよい。
【０１６２】
模様画を絵画や写真とした場合には、鑑賞用として一般的な高さに設置することができるとともに、エレベータ乗場の美観を向上させることができる。また、絵画や写真は二次元コードに比べて美観に優れるので、エレベータ乗場毎に模様画として複数の絵画や写真を設けたり、その寸法を大きくしたりしやすい。これにより、複数人のエレベータ利用者が模様画としての絵画や写真のまわりに集まっているような状況でも、各エレベータ利用者が、模様画としての絵画や写真を適切な距離から撮像しやすくなる。なお、模様画の寸法は、模様画識別情報を取得できる限りどのような寸法でもよい。
【０１６３】
（Ｅ）
前記各実施の形態では、エレベータ乗場に模様画を設置した。しかし、エレベータ乗場の各階に特徴がある場合には、模様画を設置せずに、エレベータ乗場自体をエレベータ利用者に撮像（写真撮影）させ、エレベータ乗場の撮像データに基づいて呼び登録のためのエレベータ管理情報を取得してもよい（例えば利用しようとしているエレベータバンクを特定してもよい）。
【０１６４】
要するに、
（６）携帯端末（５００）は、
エレベータの運行制御を行う運行制御装置（１０００）と無線通信を行う無線通信部（５０６）と、
画像を表示し及び／または音声を出力する報知部（５０４）と、
撮像部（５０３）と、
制御部（５０１）と、を備え、
制御部（５０１）は、
（ｉ）撮像部（５０３）に、エレベータ乗場を撮像させて撮像データを生成させ、
（ii）生成された撮像データに基づいて呼び登録のためのエレベータ管理情報を取得し、
（iii）取得したエレベータ管理情報に基づいて、エレベータの割当を依頼する割当依頼信号を生成し、
（iv）生成した割当依頼信号を無線通信部（５０６）を用いて運行制御装置（１０００）に送信し、
（v）運行制御装置（１０００）から割当依頼信号に対する応答として割当号機を示す割当号機信号を受信すると、報知部（５０４）に、割当号機を案内する情報を報知させる。
【０１６５】
その場合に、
（７）携帯端末（５００）は、
エレベータ乗場の比較用画像データに紐付けてエレベータ管理情報を格納する記憶部（５０２）を備え、
制御部（５０１）は、前記（ii）において、前記（ｉ）で生成された撮像データと記憶部（５０２）に格納されている比較用画像データとを比較することにより最も類似する比較用画像データを特定し、特定した比較用画像データに紐付けられているエレベータ管理情報を記憶部（５０２）から取得してもよい。
【０１６６】
なお、図１６に示すように、携帯端末５００に現在位置情報取得部５０７を設け、携帯端末５００がエレベータ乗場を撮像した際に、ＧＰＳ（Ｇｌｏｂａｌ  Ｐｏｓｉｔｉｏｎｉｎｇ  Ｓｙｓｔｅｍ）の信号に基づいて、撮影位置の位置情報（緯度、経度）を取得し、取得した撮影位置の位置情報を撮像データとともに（同時に）送信してもよい。このように構成することにより、位置情報に基づいて現在エレベータ利用者が居るビルやそのビル内で関連しそうなエレベータバンクを一定程度絞り込むことができる。つまり、画像比較を行うべき比較用画像データを絞り込むことができる。これにより、画像比較によるエレベータ管理情報の取得のスピードをあげることができる。
【０１６７】
要するに、
（８）携帯端末（５００）は、
現在位置を示す現在位置情報を取得する現在位置情報取得部（５０７）と、
各エレベータ乗場の位置を示す乗場位置情報に紐付けて比較用画像データの識別情報を格納する第２記憶部（５０２）と、をさらに備え、
前記制御部（５０１）は、
前記（ｉ）において、前記撮像部（５０３）にエレベータ乗場を撮像させたときに、前記現在位置情報取得部（５０７）により現在位置情報を取得し、
前記（ii）において、
前記（ｉ）で取得された現在位置情報と前記第２記憶部（５０２）に格納されている乗場位置情報とを比較して、前記現在位置情報が示す位置との位置差が所定範囲内にある乗場位置情報に紐付けられている比較用画像データを抽出し、
抽出された比較用画像データと前記（ｉ）で生成された撮像データとを比較することにより最も類似する比較用画像データを特定し、特定した比較用画像データに紐付けられているエレベータ管理情報を前記記憶部（５０２）から取得する。
【０１６８】
ここで、所定範囲は、複数のエレベータバンクがある場合においてそれぞれを特定できる程度の広さ範囲、例えば各エレベータバンクのエレベータ乗場程度の広さ範囲である。
【０１６９】
なお、エレベータ乗場の撮像データに基づいてエレベータ管理情報を取得する場合において、次のように構成してもよい。すなわち、エレベータ乗場の比較用画像データに紐付けてエレベータ管理情報を運行制御装置１０００の携帯端末用サーバ４００の記憶部４０２に格納する。比較用画像データとしては、例えばビル管理者やエレベータ会社などがエレベータ乗場を予め撮影した撮像データや、三次元ＣＡＤなどによりエレベータ乗場を描画した画像データを利用することができる。携帯端末５００の制御部５０１は、エレベータ乗場の撮像データを、無線通信部５０６を用いて運行制御装置１０００に送信する。運行制御装置１０００の携帯端末用サーバ４００の制御部４０１は、携帯端末５００から送信されてきたエレベータ乗場の撮像データと記憶部４０２に格納されている比較用画像データとを比較することにより最も類似する比較用画像データを特定する。運行制御装置１０００の携帯端末用サーバ４００の制御部４０１は、特定した比較用画像データに紐付けられているエレベータ管理情報を記憶部４０２から読み出して、携帯端末５００に送信する。このように、携帯端末５００の制御部５０１は、無線通信部５０６を用いて運行制御装置１０００と無線通信を行うことで、運行制御装置１０００の携帯端末用サーバ４００の記憶部４０２からエレベータ管理情報を取得する。
【０１７０】
要するに、
（９）運行制御装置（１０００）が、エレベータ乗場の比較用画像データに紐付けてエレベータ管理情報を格納する記憶部（４０２）と、記憶部（４０２）に格納されている比較用画像データとエレベータ乗場の撮像データとを比較することにより最も類似する比較用画像データを特定し、特定した比較用画像データに紐付けられているエレベータ管理情報を記憶部（４０２）から取得する制御部（４０１）と、を備え。
制御部（５０１）は、前記（ii）において、前記（ｉ）で生成された撮像データを運行制御装置（１０００）に送信し、撮像データに基づいて運行制御装置（１０００）で取得されたエレベータ管理情報を、無線通信部（５０６）を用いて運行制御装置（１０００）から無線通信により取得する。
【０１７１】
その場合に、携帯端末５００がエレベータ乗場を撮像した際に、上述したように、ＧＰＳに基づく撮影位置の位置情報（緯度、経度）を取得し、撮像データとともに撮影位置の位置情報を同時に送信してもよい。
【０１７２】
要するに、
（１０）携帯端末（５００）は、
現在位置を示す現在位置情報を取得する現在位置情報取得部（５０７）をさらに備え、
前記運行制御装置（１０００）が、各エレベータ乗場の位置を示す乗場位置情報に紐付けて比較用画像データの識別情報を格納する第２記憶部（４０２）をさらに備え、
前記制御部（５０１）は、
前記（ｉ）において、前記撮像部（５０３）にエレベータ乗場を撮像させたときに、前記現在位置情報取得部（５０７）により現在位置情報を取得し、
前記（ii）において、
前記（ｉ）で生成された撮像データと前記（ｉ）で取得された現在位置情報とを前記運行制御装置（１０００）に送信し、前記撮像データ及び現在位置情報に基づいて前記運行制御装置（１０００）で取得されたエレベータ管理情報を、前記無線通信部（５０６）を用いて前記運行制御装置（１０００）から無線通信により取得し、
前記運行制御装置（１０００）の前記制御部（４０１）が、
当該携帯端末（５００）から受信した現在位置情報と前記第２記憶部（４０２）に格納されている乗場位置情報とを比較して、前記現在位置情報が示す位置との位置差が所定範囲内にある乗場位置情報に紐付けられている比較用画像データを抽出し、
抽出された比較用画像データと当該携帯端末（５００）から受信した撮像データとを比較することにより最も類似する比較用画像データを特定し、特定した比較用画像データに紐付けられているエレベータ管理情報を前記記憶部（４０２）から取得し、
取得したエレベータ管理情報を当該携帯端末（５００）に送信する。
【０１７３】
また、この場合のエレベータシステムは、以下のように構成される。
【０１７４】
要するに、
（１６）エレベータシステムは、
携帯端末（５００）と無線通信を行ってエレベータの運行制御を行う運行制御装置（１０００）を有するエレベータシステムであって、
前記携帯端末（５００）は、エレベータ乗場を撮像して生成した撮像データに基づいて取得した呼び登録用のエレベータ管理情報に基づいてエレベータの割当を依頼する割当依頼信号を生成して前記運行制御装置（１０００）に送信するように構成されており、
前記運行制御装置（１０００）は、
前記携帯端末（５００）から前記割当依頼信号を受信すると、前記割当依頼信号に係る呼びをエレベータに割り当て、
割り当てたエレベータを示す割当号機信号を前記携帯端末（５００）に送信する。
【０１７５】
（Ｆ）
前記各実施の形態では、ＱＲコードにエレベータ管理情報や二次元コード識別情報が格納される例を説明した。しかし、これに限らず、ＱＲコードに、エレベータ管理情報や二次元コード識別情報とともに、広告の情報をさらに格納してもよい。また、ＱＲコードに、広告や天気予報などエレベータ以外の情報を提供するＷｅｂサイトなどへのリンク情報（例えばアドレス情報）をさらに格納してもよい。これにより、エレベータ利用者がＱＲコードを撮像したときに、広告や天気予報などエレベータ以外の情報を提供することも可能となる。なお、リンク先にアクセスしたときに、呼び登録アプリで取得された行先階の情報に基づいて、フロアマップ、店舗情報、クーポンなどを表示させてもよい。
【０１７６】
（Ｇ）
前記各実施の形態では、模様画が、１つのビル内で、エレベータ乗場毎及びロケーション毎に異なる模様を有している。しかし、本発明において、模様画は、エレベータ乗場毎及びロケーション毎だけでなく、ビル毎にも異なってもよい。これにより、利用者は、複数のビルにおいて、一つのアプリケーションプログラムを利用して、上述したのと同様に呼びの登録を行うことができる。
【０１７７】
（Ｈ）
前記各実施の形態では、各階のエレベータ乗場に従来設けられているような乗場固定式の呼び登録装置が設けられていない例を示したが、本発明は、各階のエレベータ乗場に乗場固定式の呼び登録装置を設けることを排除するものではない。本発明では、各階のエレベータ乗場に模様画（二次元コード）が配置されることで、乗場固定式の呼び登録装置を設けたとしても、従来と比べ各階に配置する行先階登録装置の数を削減できるという効果が得られる。
【符号の説明】
【０１７８】
１０  コンピュータ
１１  制御部
１２  記憶部
１３  入出力インタフェース
１１０  荷物用エレベータ管理制御装置
１１１  制御部
１１２  記憶部
１１３  入出力インタフェース
１２０  号機制御装置
１２１  制御部
１２２  記憶部
１２３  入出力インタフェース
１３０  エレベータ
２１０  低層階エレベータ群管理制御装置
２１１  制御部
２１２  記憶部
２１３  入出力インタフェース
２２０  号機制御装置
２２１  制御部
２２２  記憶部
２２３  入出力インタフェース
２３０  エレベータ
３１０  高層階エレベータ群管理制御装置
３１１  制御部
３１２  記憶部
３１３  入出力インタフェース
３２０  号機制御装置
３２１  制御部
３２２  記憶部
３２３  入出力インタフェース
３３０  エレベータ
４００  携帯端末用サーバ
４０１  制御部
４０２  記憶部
４０３  入出力インタフェース
５００  携帯端末
５０１  制御部
５０２  記憶部
５０３  カメラ
５０４  表示部
５０５  操作部
５０６  無線通信部
５０７  現在位置情報取得部
１０００  運行制御装置
ＢＰ  荷物用エレベータ乗場の二次元コード
ＢＬ  低層階エレベータ乗場の二次元コード
ＢＨ  高層階エレベータ乗場の二次元コード
ＥＰ  荷物用エレベータ乗場
ＥＬ  低層階エレベータ乗場
ＥＨ  高層階エレベータ乗場
【図１】
2020128272.tif 000003
【図２】
2020128272.tif 000004
【図３】
2020128272.tif 000005
【図４】
2020128272.tif 000006
【図５】
2020128272.tif 000007
【図６】
2020128272.tif 000008
【図７】
2020128272.tif 000009
【図８】
2020128272.tif 000010
【図９】
2020128272.tif 000011
【図１０】
2020128272.tif 000012
【図１１】
2020128272.tif 000013
【図１２】
2020128272.tif 000014
【図１３】
2020128272.tif 000015
【図１４】
2020128272.tif 000016
【図１５】
2020128272.tif 000017
【図１６】
2020128272.tif 000018